(57)【特許請求の範囲】
【請求項１】
液剤を収容する液剤収容部と、
液剤収容部に設けられ、該液剤収容部に収容されている液剤を送出する複数の吐出ポンプとを有する複数液吐出容器であって、
複数の吐出口を有し、吐出操作に応じて駆動される各吐出ポンプにより送出される泡状の液剤のそれぞれが各吐出口から吐出される吐出ヘッドを有し、
吐出ヘッドの各吐出口から吐出された泡状の各液剤が目的形状に成形されるように構成されてなり、
各吐出口から吐出される泡状の各液剤が吐出されるときの気液比が互いに異なるものとされてなる複数液吐出容器。
【請求項２】
前記各吐出口から吐出される泡状の各液剤の色が互いに異なるものとされてなる請求項１に記載の複数液吐出容器。
【請求項３】
前記各吐出口から吐出される泡状の各液剤の吐出量が互いに異なるものとされてなる請求項１又は２に記載の複数液吐出容器。
【請求項４】
前記各吐出口から吐出される泡状の各液剤が、平面視異なる位置に吐出される請求項１〜３のいずれかに記載の複数液吐出容器。
【請求項５】
前記液剤収容部は、複数種の液剤のそれぞれを収容する複数の液剤収容部を有し、
前記吐出ポンプは、前記各液剤収容部のそれぞれに設けられている請求項１〜４のいずれかに記載の複数液吐出容器。
【請求項６】
前記吐出ヘッドが複数の吐出ポンプに対して共用される単一体からなる請求項１〜５のいずれかに記載の複数液吐出容器。
【請求項７】
前記吐出ヘッドの１度の吐出操作で各吐出口から吐出される泡状の各液剤の色、吐出量又は気液比が互いに異なるものとされてなる請求項１〜６のいずれかに記載の複数液吐出容器。
【請求項８】
前記吐出ヘッドの１度の吐出操作で各吐出口から吐出されて被吐出体の上で泡造形物を成形する泡状の各液剤の泡の容量が互いに異なるものとされてなる請求項１〜７のいずれかに記載の複数液吐出容器。
【請求項９】
前記吐出操作が、前記吐出ヘッドに対する押下操作とされ、
前記吐出ヘッドは、前記押下操作により前記容器本体に対して相対的に下降され、当該下降に伴い前記吐出口から前記泡状の液剤が吐出される請求項１〜８のいずれかに記載の複数液吐出容器。
【発明の詳細な説明】
【技術分野】
【０００１】
本発明は複数液吐出容器に関する。
【背景技術】
【０００２】
従来、液吐出容器として、液剤を液剤収容部に収容し、液剤収容部に設けた吐出ヘッドに加える吐出操作により、液剤収容部に設けた吐出ポンプを駆動し、吐出ポンプにより送出される液剤を吐出ヘッドに設けた吐出口から吐出させるものがある。
【０００３】
特許文献１に記載の液吐出容器は、液剤を収容する液剤収容部と、液剤収容部に設けた吐出ヘッドに加える吐出操作により、液剤を泡状にして吐出ヘッドの吐出口から吐出させ、泡状に吐出された液剤がキャラクタを模した目的形状の泡の造形物を形成するように構成したものである。
【０００４】
特許文献２に記載の複数液吐出容器は、２液のそれぞれを第１と第２の液剤収容部に収容し、各液剤収容部に設けた第１と第２のステムに加える吐出操作により、各液剤を泡状にして各ステムの各吐出口から相積層する吐出形態で吐出させるものである。
【先行技術文献】
【特許文献】
【０００５】
【特許文献１】特開2010-149060号公報
【特許文献２】特開2012-051582号公報
【発明の概要】
【発明が解決しようとする課題】
【０００６】
特許文献１に記載の液吐出容器は、吐出ヘッドの単一の吐出口から吐出される泡状の液剤のみによって目的形状の泡造形物を形成するものである。従って、目的形状を形成する自由度が低く、使用者に与える印象は乏しい。
【０００７】
特許文献２に記載の複数液吐出容器は、各吐出口から吐出される各液剤を相積層させて全体的に重ねた状態で、使用者の手等の被吐出体の上に供給している。従って、被吐出体の上に供給された液剤の色は、全体的に重ねられた各液剤のうちの表層に存在することになった液剤の１色のみからなるに過ぎず、使用者に与える印象は乏しい。例えば、各吐出口から泡状に吐出された各液剤によって、被吐出体の上に動物等の目的形状の泡造形物を成形する場合に、全体的に１色のみからなるに過ぎない泡造形物にあっては、かわいい、きれい、楽しい等の印象に乏しい。
【０００８】
本発明の課題は、複数液吐出容器において、各吐出口から吐出されて被吐出体に供給された各液剤の吐出態様を異なるものにして、目的形状の泡造形物の形成の自由度を高め、使用者に与える印象を強くすることにある。
【課題を解決するための手段】
【０００９】
請求項１に係る発明は、液剤を収容する液剤収容部と、液剤収容部に設けられ、該液剤収容部に収容されている液剤を送出する複数の吐出ポンプとを有する複数液吐出容器であって、複数の吐出口を有し、吐出操作に応じて駆動される各吐出ポンプにより送出される泡状の液剤のそれぞれが各吐出口から吐出される吐出ヘッドを有し、吐出ヘッドの各吐出口から吐出された泡状の各液剤が目的形状に成形されるように構成されてなり、各吐出口から吐出される泡状の各液剤が吐出されるときの気液比が互いに異なるものとされてなるようにしたものである。
【発明の効果】
【００１３】
本発明の複数液吐出容器によれば、各吐出口から吐出され被吐出体に供給された各液剤の吐出態様を異ならせることで、目的形状の泡造形物の形成の自由度が高く、また使用者に与える印象を強くすることできる。
【図面の簡単な説明】
【００１４】
【図１】図１は複数液吐出容器の一実施例を示す側面図である。
【図２】図２は図１の縦断面図である。
【図３】図３は図１の要部破断図である。
【図４】図４は図２の要部拡大図である。
【図５】図５は泡吐出用アタッチメントの詳細を示す模式図である。
【図６】図６は複数液吐出容器の変形例を示す要部拡大図である。
【図７】図７は泡吐出用アタッチメントを接続した他の例を示す斜視図である。
【図８】図８は泡吐出用アタッチメントを示す模式図である。
【発明を実施するための形態】
【００１５】
図１〜図４に示した複数液泡吐出容器（以下、吐出容器という）１００は、２種以上の複数種（本実施例では２種、但し後述する如くに同一種でも可）の液剤Ｌ1、Ｌ2を収容する左右２個の液剤収容部１０Ｌ、１０Ｒを有する。
【００１６】
また、吐出容器１００は、各液剤収容部１０Ｌ、１０Ｒのそれぞれに設けられる左右２個の吐出ポンプ２０Ｌ、２０Ｒを有する。各吐出ポンプ２０Ｌ、２０Ｒは、各液剤収容部１０Ｌ、１０Ｒに収容されている各液剤Ｌ1、Ｌ2を送出する。
【００１７】
また、吐出容器１００は、各液剤収容部１０Ｌ、１０Ｒに設けられる吐出ヘッド３０を有する。吐出ヘッド３０は、吐出操作である押下げ操作により吐出容器１００（容器本体）に対して相対的に下降し、各液剤収容部１０Ｌ、１０Ｒに対応する左右２個の吐出口３３Ｌ、３３Ｒを有する。各吐出ポンプ２０Ｌ、２０Ｒは使用者が吐出ヘッド３０に加える吐出操作に基づく該吐出ヘッド３０の下降に伴って駆動され、各吐出ポンプ２０Ｌ、２０Ｒが送出する各液剤Ｌ1、Ｌ2を泡状にして吐出ヘッド３０の各吐出口３３Ｌ、３３Ｒから吐出する。尚、吐出口３３Ｒは、図示されていないが、図３に泡吐出用ノズル３２Ｌの先端に吐出口３３Ｌが示されているのと同様に、泡吐出用ノズル３２Ｒの先端に吐出口３３Ｒが形成されている。
【００１８】
ここで、吐出容器１００にあっては、吐出ヘッド３０の各吐出口３３Ｌ、３３Ｒから吐出される各液剤Ｌ1、Ｌ2の色を異ならせる。そして、吐出ヘッド３０の吐出操作により各吐出口３３Ｌ、３３Ｒから異なる色の液剤Ｌ1、Ｌ2を、使用者の手等の被吐出体の上の平面視で異なる位置に吐出する。
【００１９】
以下、具体的に説明する。尚、本明細書では、左右２個の液剤収容部１０Ｌ、１０Ｒを相並ぶように連結一体化してあり、両液剤収容部１０Ｌ、１０Ｒを正立させた状態で各液剤収容部１０Ｌ、１０Ｒに対して吐出ヘッド３０が位置する側を上方又は上側と呼称し、反対側を下方又は下側と呼称する。それらの上下方向は、必ずしも鉛直方向の上下と一致している必要はない。
【００２０】
吐出容器１００は、各液剤収容部１０Ｌ、１０Ｒに収容される液状の液剤Ｌ1、Ｌ2を泡状に変えて吐出する容器である。
【００２１】
液剤Ｌとしてはハンドソープを代表的に例示するが、これに限られず、洗顔料、クレンジング剤、食器用洗剤、整髪料、ボディソープ、髭剃り用クリーム、ファンデーション等の肌用化粧料、染毛剤等、美容液、パン等に吐出されるクリーム等、泡状で用いられる種々のものを例示することができる。
【００２２】
各液剤収容部１０Ｌ、１０Ｒに収容される各液剤Ｌ1、Ｌ2は、少なくとも各吐出口３３Ｌ、３３Ｒから吐出されたときの色を互いに異なるものとされる。各液剤Ｌ1、Ｌ2は、着色剤の添加等によって各液剤収容部１０Ｌ、１０Ｒに収容されている段階で異なる色を呈するものとすることができる。少なくとも一種の液剤は着色されていることが好ましい。
【００２３】
吐出容器１００は、各液剤収容部１０Ｌ、１０Ｒの各開口部１０Ａ、１０Ａに単一体からなるキャップ１１の取付部１１Ａを螺着して固定する。キャップ１１の取付部１１Ａの内側部には各吐出ポンプ２０Ｌ、２０Ｒの後述する各空気用シリンダ２２、２２の上端部が突き当てられ、各空気用シリンダ２２、２２の上端部はパッキンを介してキャップ１１の取付部１１Ａと各液剤収容部１０Ｌ、１０Ｒの各開口部１０Ａ、１０Ａとの間に挟圧される。これにより、各吐出ポンプ２０Ｌ、２０Ｒの各空気用シリンダ２２、２２が各液剤収容部１０Ｌ、１０Ｒに固定されるものになる。
【００２４】
吐出ヘッド３０は、本実施例では、左右の各吐出ポンプ２０Ｌ、２０Ｒに対して共用される単一体からなる。吐出ヘッド３０は、各吐出ポンプ２０Ｌ、２０Ｒのそれぞれに対応する左右の送液管３１Ｌ、３１Ｒと左右の泡吐出用ノズル３２Ｌ、３２Ｒを備える。
【００２５】
吐出ヘッド３０は、各送液管３１Ｌ、３１Ｒの下端部に接続される各吐出ポンプ２０Ｌ、２０Ｒの後述するピストンガイド２６を、各液剤収容部１０Ｌ、１０Ｒの各開口部１０Ａ、１０Ａに上述した如くに固定された各吐出ポンプ２０Ｌ、２０Ｒの各空気用シリンダ２２、２２の中心部に上下方向に往復動可能に挿入している。吐出ヘッド３０は、キャップ１１に対して上下動可能に設けられ、この吐出ヘッド３０に加える押下げ操作によって各吐出ポンプ２０Ｌ、２０Ｒを後述する如くに駆動し、各吐出ポンプ２０Ｌ、２０Ｒによって後述する如くに生成されて各液剤収容部１０Ｌ、１０Ｒの内部から送出される泡状の液剤Ｌ1、Ｌ2を各送液管３１Ｌ、３１Ｒに通して各泡吐出用ノズル３２Ｌ、３２Ｒに導く。吐出ヘッド３０は、各泡吐出用ノズル３２Ｌ、３２Ｒに斜め下向きに開口する各吐出口３３Ｌ、３３Ｒを備え、この泡状の液剤Ｌ1、Ｌ2を各泡吐出用ノズル３２Ｌ、３２Ｒの各吐出口３３Ｌ、３３Ｒから吐出する。
【００２６】
各吐出ポンプ２０Ｌ、２０Ｒは、各液剤収容部１０Ｌ、１０Ｒに内蔵して設けられる。各吐出ポンプ２０Ｌ、２０Ｒは、各液剤収容部１０Ｌ、１０Ｒに内蔵されていなくても良い。各吐出ポンプ２０Ｌ、２０Ｒは、従来公知のポンプを用いることができる。各吐出ポンプ２０Ｌ、２０Ｒでは、例えば、空気用ピストン２１が摺動する空気用シリンダ２２と、液用ピストン２３が摺動する液用シリンダ２４と、泡吐出ヘッド３０の各送液管３１Ｌ、３１Ｒの下端部に接続されて、この送液管３１Ｌ、３１Ｒとともにコイルスプリング２５により上方に付勢された状態の液用ピストン２３及び空気用ピストン２１を押下げる筒状のピストンガイド２６を備える。各吐出ポンプ２０Ｌ、２０Ｒは、空気用シリンダ２２の内部を空気用ピストン２１によって加圧される空気室２２Ａとし、液用シリンダ２４の内部を液用ピストン２３によって加圧される液室２４Ａとする。液用シリンダ２４にはディップチューブ２４Ｔ（図２以外は省略）が嵌合し、このディップチューブ２４Ｔは各液剤収容部１０Ｌ、１０Ｒの内部に挿入される。空気室２２Ａの上端部にはチェック弁ＶＣが配置され、液室２４Ａの上端部には液室２４Ａの圧力によって開くボール弁Ｖ1が配置され、液室２４Ａの下端部には液室２４Ａの圧力によって閉じるポペット弁Ｖ2が配置される。各吐出ポンプ２０Ｌ、２０Ｒは、各液剤収容部１０Ｌ、１０Ｒの内部から吸引されて液室２４Ａから供給される液剤Ｌ1又はＬ2（内容液）と、空気室２２Ａから供給される空気Ａとが混合される混合室２７と、各送液管３１Ｌ、３１Ｒと混合室２７との間の流路に配置されたメッシュリングからなる泡生成部２８を備える。
【００２７】
そして、各吐出ポンプ２０Ｌ、２０Ｒは以下の如くに駆動される。即ち、各吐出ポンプ２０Ｌ、２０Ｒでは、吐出ヘッド３０が使用者の手押しによって原位置から押下げ操作されると、吐出ヘッド３０とともに下がる各送液管３１Ｌ、３１Ｒ及び各ピストンガイド２６、２６を介して、それらの空気用ピストン２１、及び液用ピストン２３のそれぞれがコイルスプリング２５の付勢力に抗して一定の押下げストロークだけ押下げられる。これにより、それらの空気用ピストン２１、液用ピストン２３のそれぞれによって空気室２２Ａ、液室２４Ａのそれぞれから加圧されて混合室２７に供給される空気と各液剤Ｌ1、Ｌ2が泡生成部２８において発泡される。これらの泡状の液剤Ｌ1、Ｌ2（以下、泡体という）のそれぞれが各送液管３１Ｌ、３１Ｒを通って各泡吐出用ノズル３２Ｌ、３２Ｒの側へ圧送され、それらの吐出口３３Ｌ、３３Ｒから吐出される。尚、各吐出ポンプ２０Ｌ、２０Ｒは、手押し等の手動式に限らず、電動式で駆動されても良い。
【００２８】
吐出容器１００は、吐出ヘッド３０における各泡吐出用ノズル３２Ｌ、３２Ｒの各吐出口３３Ｌ、３３Ｒから吐出される泡状の各液剤Ｌ1、Ｌ2が目的形状に成形されるように構成されている。このとき、吐出容器１００は、目的形状の泡造形物ＦＢを成形するための泡吐出用アタッチメント４０を吐出ヘッド３０に接続することができる。
【００２９】
即ち、本実施例の吐出容器１００では、図１に示す如く、吐出ヘッド３０の泡吐出用ノズル３２Ｌ、３２Ｒに泡吐出用アタッチメント４０を接続してある（泡吐出用アタッチメント４０は、吐出ヘッド３０に一体成形されていても良い）。泡吐出用アタッチメント４０は、各泡吐出用ノズル３２Ｌ、３２Ｒの各吐出口３３Ｌ、３３Ｒから吐出された泡状の各液剤Ｌ1、Ｌ2が、被吐出体の上にある形態をもった目的形状の泡造形物ＦＢを成形するように構成されたものである。ここで、目的形状は、例えば、文字、図形又は記号等を模した形状とすることができる。このうち図形としては、動物、植物、人間、アニメのキャラクタ、幾何学的な図形等が挙げられる。目的形状の泡造形物ＦＢを成形するためには、各吐出口の配置、形状、大きさ等を調整して対応する。
【００３０】
尚、吐出容器１００において、各泡吐出用ノズル３２Ｌ、３２Ｒの各吐出口３３Ｌ、３３Ｒから吐出された泡状の各液剤Ｌ1、Ｌ2が、被吐出体の上にある形態をもった目的形状の泡造形物ＦＢを成形するとき、各吐出口３３Ｌ、３３Ｒから吐出される泡状の各液剤Ｌ1、Ｌ2の吐出態様（色、吐出量、気液比）は後述する如くに異なるものとすることができる。また、各吐出口３３Ｌ、３３Ｒから吐出されて被吐出体の上で上述の泡造形物ＦＢを成形する泡状の各液剤Ｌ1、Ｌ2は、それらの性状（色、気液比、泡の容量（体積））が異なるものとすることができる。
【００３１】
泡吐出用アタッチメント４０は、図５に示す如く、吐出容器１００における両液剤収容部１０Ｌ、１０Ｒの外面よりも前方に突き出る位置に配置されるケース４１を有し、各泡吐出用ノズル３２Ｌ、３２Ｒの先端部に着脱自在に嵌合して接続できる接続管４２Ｌ、４２Ｒをケース４１の外周部４１Ａに支持して有する。泡吐出用アタッチメント４０は、図１に示す如く、ケース４１の天面部４１Ｂにパターン表示部４３を備え、各泡吐出用ノズル３２Ｌ、３２Ｒから吐出されて色の異なる各液剤Ｌ1、Ｌ2（例えば白色の液剤Ｌ1、ピンク色等の液剤Ｌ2）により成形される泡造形物ＦＢ（図５（Ｃ））を平面視した形状と対応するパターン形状をパターン表示部４３に表示している。図１のパターン表示部４３では、パンダのパターン形状を表示している。
【００３２】
泡吐出用アタッチメント４０は、各接続管４２Ｌ、４２Ｒをケース４１の内部に引き込んでいる。
【００３３】
接続管４２Ｌは、ケース４１の内部を通って該ケース４１における底面部４１Ｃの中心位置に上面から下面に貫通されて下向きに一定長だけ突設され、その下向き開口を比較的大口径の孔状大開口部４０Ｌとする。孔状大開口部４０Ｌは接続管４２Ｌを介して吐出ヘッド３０の吐出口３３Ｌに連通する。
【００３４】
接続管４２Ｒは、ケース４１の内部における接続管４２Ｌの側傍で、底面部４１Ｃの上面に立上っている立上り周壁部４４により区画される貯留部４５に開口している。ケース４１の底面部４１Ｃにおいて貯留部４５の範囲内にある２位置には、底面部４１Ｃの上面から下面に貫通されて下向きに一定長だけ突設される突出管４６が設けられ、これらの２個の突出管４６の下向き開口を比較的小口径の孔状小開口部４０Ｒとする。各孔状小開口部４０Ｒは接続管４２Ｒを介して、吐出ヘッド３０の吐出口３３Ｒに連通するものになる。
【００３５】
従って、吐出容器１００にあっては、吐出ヘッド３０の押下げ操作によって各吐出ポンプ２０Ｌ、２０Ｒから送出される泡状の各液剤Ｌ1、Ｌ2が、各泡吐出用ノズル３２Ｌ、３２Ｒの各吐出口３３Ｌ、３３Ｒを経て、吐出容器１００における両液剤収容部１０Ｌ、１０Ｒの外面よりも前方に突き出ている泡吐出用アタッチメント４０の１個の孔状大開口部４０Ｌ、２個の孔状小開口部４０Ｒからそれらの下方に位置付けられている使用者の手等の被吐出体の上の平面視で異なる位置に吐出され、被吐出体の上に目的形状の泡造形物ＦＢが成形される。
【００３６】
本実施例では、被吐出体の平面視で、被吐出体における泡吐出用アタッチメント４０の１個の孔状大開口部４０Ｌの下方位置に白色をなす液剤Ｌ1の泡体が吐出されて白色の顔部Ｆを生成するとともに、被吐出体における泡吐出用アタッチメント４０の２個の孔状小開口部４０Ｒの下方位置にピンク色等をなす液剤Ｌ2の泡体が吐出されて２個のピンク色等の耳部Ｅを成形し、これによって、パンダの泡造形物ＦＢが成形される。
【００３７】
ここで、泡吐出用アタッチメント４０の孔状大開口部４０Ｌから吐出される液剤Ｌ1の泡体は、ケース４１の平面部４１Ｃの下面にて下向きに突設されている接続管４２Ｌの突設部分に案内され、被吐出体の上の所定の目標位置に到着するように、その吐出方向を下向きに規制される。また、孔状小開口部４０Ｒから吐出される液剤Ｌ2の泡体は、ケース４１の平面部４１Ｃの下面に設けた突出管４６の突設部分に案内され、被吐出体の上の所定の目標位置に到着するように、その吐出方向を下向きに規制される。液剤Ｌ1、Ｌ2の泡体は、孔状大開口部４０Ｌ、孔状小開口部４０Ｒから吐出されて大気圧に開放されることで、全体的には孔状大開口部４０Ｌ、孔状小開口部４０Ｒの形状を維持しながら膨張する。これにより、被吐出体の上で、泡体は顔部Ｆの外周に沿う２位置に２個の耳部Ｅのそれぞれがくっついて１つの目的形状を構成する泡造形物ＦＢとなる。
【００３８】
また、吐出容器１００にあっては、各吐出ポンプ２０Ｌ、２０から送出されて吐出ヘッド３０の各吐出口３３Ｌ、３３Ｒから吐出される各液剤Ｌ1、Ｌ2の吐出量を同じにしても良いし、後述する如くに異ならせても良い。吐出ヘッド３０に泡吐出用アタッチメント４０を接続した吐出容器１００では、吐出口３３Ｌから吐出された液剤Ｌ1が泡吐出用アタッチメント４０の１個の孔状大開口部４０Ｌから吐出されて顔部Ｆを生成し、吐出口３３Ｒから吐出された液剤Ｌ2が泡吐出用アタッチメント４０の２個の孔状小開口部４０Ｒに２分されて吐出され、２個の耳部Ｅを成形する。従って、２個分の耳部Ｅを生成する液剤Ｌ2の量と、顔部Ｆを生成する液剤Ｌ1の量とが概ね同等をなすとき、各吐出ポンプ２０Ｌ、２０Ｒから送出されて各吐出口３３Ｌ、３３Ｒから吐出される各液剤Ｌ1、Ｌ2の吐出量は同等にしても良いものになる。
【００３９】
ここで、各吐出口３３Ｌ、３３Ｒの吐出態様を異ならせる形態として、吐出容器１００は、吐出ヘッド３０の各吐出口３３Ｌ、３３Ｒから吐出される各液剤Ｌ1、Ｌ2の吐出量を互いに異ならせることができる。本実施例の吐出容器１００では、図４に示す如く、各吐出ポンプ２０Ｌ、２０Ｒにおける空気用ピストン２１の押下げストローク量を異ならせている。吐出ヘッド３０に設けた各送液管３１Ｌ、３１Ｒの長さに差を持たせ、長い送液管３１Ｌの下端部が吐出ポンプ２０Ｌの空気用ピストン２１を押下げる押下げストローク量より、短い送液管３１Ｒの下端部が吐出ポンプ２０Ｒの空気用ピストン２１を押下げる押下げストローク量よりも、図４に示した長さＳだけ短くなるものにした。これにより、吐出ヘッド３０が原位置から押下げ操作されたとき、吐出ポンプ２０Ｌの側の空気用ピストン２１が送液管３１Ｌの下端部により先に押下げ開始されて一定の押下げストロークＳ（図４）を付与された後、吐出ポンプ２０Ｒの側の空気用ピストン２１も吐出ポンプ２０Ｌの側の空気用ピストン２１と同期して押下げられる。即ち、両吐出ポンプ２０Ｌ、２０Ｒの間で、それらの空気用ピストン２１に付与する押下げストローク（吐出動作ストローク）に差を持たせた。
【００４０】
従って、図４に示した吐出容器１００にあっては、吐出ポンプ２０Ｌから送出されて対応する吐出口３３Ｌから吐出される液剤Ｌ1の泡体に比して、吐出ポンプ２０Ｒから送出されて対応する吐出口３３Ｒから吐出される液剤Ｌ2の泡体は、その混合室２７に供給されて混合される空気Ａの量が上述の押下げ遅れストロークＳ分だけ少なく、空気Ａの量が少ない分だけ吐出量が少なくなる。
【００４１】
また、各吐出口３３Ｌ、３３Ｒの吐出態様を異ならせる形態として、吐出容器１００は、吐出ヘッド３０の各吐出口３３Ｌ、３３Ｒから吐出される各液剤Ｌ1、Ｌ2の気液比を互いに異ならせることができ、その方式として、図６に示すものを採用することもできる。この吐出容器１００では、各吐出ポンプ２０Ｌ、２０Ｒの相互間で、各空気用ピストン２１、２１の加圧面積ＡＬ、ＡＲを互いに同じにするとともに、各液用ピストン２３、２３の加圧面積ＬＬ、ＬＲを互いに異なるものにした（図６）。吐出ヘッド３０が各吐出ポンプ２０Ｌ、２０Ｒのピストンガイド２６を同期的に押下げるとき、(i)吐出ポンプ２０Ｌの側では、空気用ピストン２１と液用ピストン２３のそれぞれがそれらの加圧面積ＡＬ、ＬＬに見合う量の空気Ａと液剤Ｌ1を混合室２７に供給する一方において、(ii)吐出ポンプ２０Ｒの側では、空気用ピストン２１と液用ピストン２３のそれぞれがそれらの加圧面積ＡＲ、ＬＲに見合う量の空気Ａと液剤Ｌ2を混合室２７に供給する。
【００４２】
尚、図６に示した吐出容器１００では、ＡＬ＝ＡＲ、ＬＬ＞ＬＲとしている。両吐出ポンプ２０Ｌ、２０Ｒの液用シリンダ２４は同一内径とされており、吐出ポンプ２０Ｌの液用ピストン２３Ａ（加圧面積ＬＬ）はその液用シリンダ２４の内周を摺動するものの、吐出ポンプ２０Ｒの液用ピストン２３（加圧面積ＬＲ）はその液用シリンダ２４の上端開口部に設けたピストンガイド２４Ｂの内周を摺動するものとされている。
【００４３】
従って、図６に示した吐出容器１００にあっては、ＡＬ＝ＡＲ、ＬＬ＞ＬＲとするとき、吐出ポンプ２０Ｌから送出されて対応する吐出口３３Ｌから吐出される液剤Ｌ1の泡体に比して、吐出ポンプ２０Ｒから送出されて対応する吐出口３３Ｒから吐出される液剤Ｌ2の泡体は、混合室２７に供給されて混合される液剤Ｌ2の量が上述のＬＲ／ＬＬ分だけ少なくなる。これにより、吐出ポンプ２０Ｌから送出されて対応する吐出口３３Ｌから吐出される液剤Ｌ1の泡体に比して、吐出ポンプ２０Ｒから送出されて対応する吐出口３３Ｒから吐出される液剤Ｌ2の泡体は、吐出ポンプ２０Ｒにおける気液比ＬＲ／ＡＲが吐出ポンプ２０Ｌにおける気液比ＬＬ／ＡＬより低くなって濃い色を呈するものになる。その気液比の関係が逆になれば薄い色を呈するものになる。
【００４４】
従って、本発明によれば以下の作用効果を奏する。
【００４５】
(a)吐出ヘッド３０の各吐出口３３Ｌ、３３Ｒを経て各開口部４０Ｌ、４０Ｒから泡状に吐出された各液剤Ｌ1、Ｌ2によって、被吐出体の上に動物等の目的形状の泡造形物ＦＢを成形するとき、各液剤Ｌ1、Ｌ2が泡造形物ＦＢの部分によって色を異ならせ、かわいい、きれい、楽しい等の印象を良くする。
【００４６】
(b)各吐出口３３Ｌ、３３Ｒを経て各開口部４０Ｌ、４０Ｒから吐出される液剤Ｌ1、Ｌ2の吐出量を異ならせても良い。これは、両吐出ポンプ２０Ｌ、２０Ｒの間で、それらの空気用ピストン２１（又は液用ピストン２３）の吐出動作ストロークを互いに異ならせことによって行なう。また、吐出量を異ならせるには、両吐出ポンプ２０Ｌ、２０Ｒの間で、空気用ピストン２１（又は液用ピストン２３）の加圧面積を互いに異ならせる等によっても行なうことができる。泡造形物ＦＢにおける広い面積部分を形成する液剤Ｌ1、Ｌ2の吐出量を多くし、狭い面積部分を形成する液剤Ｌ1、Ｌ2の吐出量を少なくする等である。これにより、例えば図５（Ｃ）に示した泡造形物ＦＢにおいて、パンダの顔部Ｆは大面積に成形し、各耳部Ｅは小面積に成形する等、泡造形物ＦＢの成形精度を向上できる。
【００４７】
(c)各吐出口３３Ｌ、３３Ｒを経て各開口部４０Ｌ、４０Ｒから吐出される液剤Ｌ1、Ｌ2は、それらが吐出されるときの気液比を異ならせても良い。これは、各吐出ポンプ２０Ｌ、２０Ｒの間で、空気用ピストン２１（又は液用ピストン２３）の加圧面積を互いに異ならせる等によって、各吐出ポンプ２０Ｌ、２０Ｒのそれぞれにおいてそれらの混合室２７に供給される空気Ａと液剤Ｌ1又はＬ2がなす気液比を互いに異ならせることにより行なう。各液剤Ｌ1、Ｌ2の気液比を互いに異ならせて吐出された泡は、色以外の泡質、大きさ、見た目の印象（もっちり感、ふわふわ感）を異ならせ、泡造形物の印象を多様化する。例えば図５（Ｃ）に示した泡造形物ＦＢにおいて、パンダの顔部Ｆは空気の比率を低くしてもっちり感を出し、各耳部Ｅは空気の比率を高くしてふわふわ感を出す等、泡造形物ＦＢを構成する各部の印象を異なるものとする泡を生成できる。
【００４８】
また、空気の比率が低い濃い色の泡と、空気の比率が高い薄い色の泡を形成することで、各吐出口３３Ｌ、３３Ｒから吐出される各液剤Ｌ1、Ｌ2の色を異なるものとすることができる。この場合、複数液吐出容器１００は、１種の液剤のため唯１個の液剤収容部を有するものであれば良い。
【００４９】
(d)各吐出口３３Ｌ、３３Ｒに連通する泡吐出用アタッチメント４０の各開口部４０Ｌ、４０Ｒから異なる色の液剤Ｌ1、Ｌ2が、被吐出体の平面視異なる位置に吐出される。即ち、各液剤Ｌ1、Ｌ2は吐出口３３Ｌ、３３Ｒを経て各開口部４０Ｌ、４０Ｒから吐出されるまでは混合されず、被吐出体の平面視異なる位置に吐出される。従って、被吐出体の上に異なる色の液剤Ｌ1、Ｌ2が供給されたことを使用者に認知させ、使用者にきれい、意外等の強い印象を与える。
【００５０】
尚、被吐出体に供給された各液剤Ｌ1、Ｌ2は、隣接するだけでなく、互いに一部重なっても良い。各液剤Ｌ1、Ｌ2が完全に重なるものでなく、部分的に重なることで、被吐出体の上に異なる色の液剤Ｌ1、Ｌ2が供給されたことを使用者に認知させることができる。
【００５１】
また、被吐出体に供給された各液剤Ｌ1、Ｌ2は、被吐出体への到着後に使用者によって混合されて使用に供されても良い。例えば、手の洗浄等に供される複数の異なる色の液剤Ｌ1、Ｌ2を手の上に供給されてから混合させて別の色に変色させることができる楽しさがある。変色が混合度合や混合時間によってなされるようにすることで、子供等に一定時間洗浄させようとするときの目安にもなる。
【００５２】
尚、本発明においては、吐出ヘッド３０の各吐出口３３Ｌ、３３Ｒから吐出される各液剤Ｌ1、Ｌ2について、各液剤Ｌ1、Ｌ2の色が互いに異ならせて吐出される上述(a)に対応する態様１と、各液剤Ｌ1、Ｌ2の吐出量が互いに異ならせて吐出される上述(b)に対応する態様２と、各液剤Ｌ1、Ｌ2が吐出されるときの気液比が互いに異ならせて吐出される上述(c)に対応する態様３の３態様のうちの少なくとも２つの態様を併せ有して吐出させることができる。従って、態様１、２の組合せ、態様１、３の組合せ、態様２、３の組合せ、態様１、２、３の組合せである。
【００５３】
図７、図８は図１、図６に示した泡吐出用アタッチメント４０に代わる泡吐出用アタッチメント５０を示すものである。
【００５４】
泡吐出用アタッチメント５０は、泡吐出用アタッチメント４０におけるケース４１、接続管４２Ｌ、４２Ｒ、パターン表示部４３のそれぞれに相当するケース５１、接続管５２Ｌ、５２Ｒ、パターン表示部５３を有し、各接続管５２Ｌ、５２Ｒをケース５１の内部に引き込んでいる。パターン表示部５３は、花柄のパターン形状（白色の花芯部Ｗ及び赤色の花びら部Ｒからなる）を表示している。
【００５５】
接続管５２Ｒは、ケース５１の内部の中央部を通って該ケース５１における底面部５１Ｃの上面から下面に貫通されて下向きに突設され、その下向き開口を孔状開口部５３Ｒとする。孔状開口部５３Ｒは接続管５２Ｒを介して吐出ヘッド３０の吐出口３３Ｒに連通する。
【００５６】
接続管５２Ｌは、ケース５１の内部において、その中央部に配置されている接続管５２Ｒと、その周囲において底面部５１Ｃの上面に立上っている立上り環状周壁部５４との間に区画される貯留部５５に開口している。この貯留部５５を区画している立上り環状周壁部５４の内周側根元の周方向に沿う複数位置には、ケース５１における底面部５１Ｃの上面から下面に貫通する複数の円弧状下向き開口が設けられている。この立上り環状周壁部５４の内周側根元の周方向に沿って設けられている複数の円弧状下向き開口は互いに一連をなすように配置されてそれらの全体で花びら状開口部５３Ｌを形成する。ケース５１における底面部５１Ｃの下面には、底面部５１Ｃの上面に設けた立上り環状周壁部５４に対応する立下り環状周壁部５６が下向きに突設され、この立下り環状周壁部５６の内周側根元の周方向に沿う複数位置に花びら状開口部５３Ｌが配置されるものになる。花びら状開口部５３Ｌは、貯留部５５、接続管５２Ｌを介して、吐出ヘッド３０の吐出口３３Ｌに連通するものになる。
【００５７】
従って、吐出容器１００にあっては、吐出ヘッド３０の押下げ操作によって各吐出ポンプ２０Ｌ、２０Ｒから送出されて色の異なる泡状の各液剤Ｌ1、Ｌ2（例えば赤色の液剤Ｌ1、白色の液剤Ｌ2）が、各泡吐出用ノズル３２Ｌ、３２Ｒの各吐出口３３Ｌ、３３Ｒを経て、吐出容器１００における両液剤収容部１０Ｌ、１０Ｒの外面よりも前方に突き出ている泡吐出用アタッチメント５０の孔状開口部５３Ｒ、花びら状開口部５３Ｌからそれらの下方に位置付けられている使用者の手等の被吐出体の上の平面視で異なる位置に吐出され、被吐出体の上に目的形状の泡造形物ＦＢが成形される。
【００５８】
本実施例では、被吐出体の平面視で、被吐出体における泡吐出用アタッチメント５０の孔状開口部５３Ｒの下方位置に白色をなす液剤Ｌ2の泡体が吐出されて白色の花芯部Ｗを生成するとともに、被吐出体における泡吐出用アタッチメント５０の花びら状開口部５３Ｌの下方位置に赤色をなす液剤Ｌ1の泡体が吐出されて赤色の花びら部Ｒを成形し、これによって、花柄の泡造形物ＦＢが成形される。
【００５９】
ここで、泡吐出用アタッチメント５０の孔状開口部５３Ｒから吐出される液剤Ｌ2の泡体は、ケース５１の平面部５１Ｃの下面にて下向きに突設されている接続管５２Ｒの突設部分に案内され、被吐出体の上の所定の目標位置に到着するように、その吐出方向を下向きに規制される。また、花びら状開口部５３Ｌから吐出される液剤Ｌ1の泡体は、ケース５１の平面部５１Ｃの下面に設けた立下り環状周壁部５６に案内され、被吐出体の上の所定の目標位置に到着するように、その吐出方向を下向きに規制される。液剤Ｌ1、Ｌ2の泡体は、花びら状開口部５３Ｌ、孔状開口部５３Ｒから吐出されて大気圧に開放されることで、全体的には花びら状開口部５３Ｌ、孔状開口部５３Ｒの形状を維持しながら膨張する。これにより、被吐出体の上で、泡体は花芯部Ｗの周囲に花びら部Ｒがくっついて１つの目的形状を構成する泡造形物ＦＢとなる。
【００６０】
尚、前記の各実施形態の吐出容器１００にあっては、吐出ヘッド３０が左右の各吐出ポンプ２０Ｌ、２０Ｒに対して共用される単一体からなるものにした。従って、吐出ヘッド３０の一度の吐出操作である押下げ操作により、各吐出口３３Ｌ、３３Ｒから互いに色の異なる各液剤Ｌ1、Ｌ2を同時に吐出させ、又は、各吐出口３３Ｌ、３３Ｒから互いに吐出量の異なる各液剤Ｌ1、Ｌ2を同時に吐出させ、又は、各吐出口３３Ｌ、３３Ｒから互いに気液比の異なる各液剤Ｌ1、Ｌ2を同時に吐出させることができ、使用者に強い印象を与える目的形状の泡造形物ＦＢを形成できる。但し、本発明の吐出容器にあっては、複数の吐出ポンプを駆動する吐出ヘッドを、各吐出ポンプに対して共用一体化するものに限らず、各吐出ポンプ毎に別個独立化しても良い。このとき、使用者は、相隣る各吐出ヘッドを、同時に押下げ操作しても良いし、時間差をもって押下げ操作することもできる。
【００６１】
本発明は、前記実施形態に制限されない。
【００６２】
本発明の吐出容器は、１種の液剤の気液比を異ならせて泡を発生させることで、濃い色の泡と、薄い色の泡を生成できる。この場合、１個の液剤収容部だけを有するもので良い。
【００６３】
本発明の吐出容器は、複数の別個の液剤収容部を連結一体化するものに限らず、単一の容器本体の内部に仕切りを設けて複数の液剤収容部を備えるものでも良い。
【００６４】
本発明の吐出容器は、液剤収容部を２個、吐出ポンプと吐出口をそれぞれ３個有するものとすることもできる。この場合、２個の吐出口は各液剤収容部に収容した液剤のそれぞれを混合させずにそれらの吐出口から吐出する。他方、残りの１個の吐出口は２個の液剤収容部に収容した各液剤を混合させ、それらの各液剤の当初の色を異なる色に変えた混合液剤を吐出するものとしても良い。
【００６５】
上記の各実施形態では、手動式の液吐出容器を説明したが、電動式であっても良い。電動式の液吐出容器は、液剤を液剤収容部から送出する液体送出アクチュエータ（例えば液体ポンプ）と、気体を送出する気体送出アクチュエータ（例えば気体ポンプ）と、を備え、吐出ヘッドは、液体送出アクチュエータにより送出される液剤と、気体送出アクチュエータにより送出される気体とを泡生成部で混合することによって生成された泡体を吐出口から吐出するように構成されている。
【００６６】
電動式の液吐出容器では、各吐出口の下に被吐出体がかざされたことを検知する検知部と、検知部による検知結果に基づいて液体ポンプ及び気体ポンプを制御する制御部と、電池等の電源部と、を備えている。電源部は、制御部、液体ポンプ、気体ポンプ及び検知部に対して給電する。
【産業上の利用可能性】
【００６７】
本発明によれば、複数液吐出容器において、各吐出口から吐出されて被吐出体に供給された各液剤の吐出態様を異なるものにして、目的形状の泡造形物の形成の自由度を高め、使用者に与える印象を強くすることができる。
【符号の説明】
【００６８】
１０Ｌ、１０Ｒ  液剤収容部
２０Ｌ、２０Ｒ  吐出ポンプ
３０  吐出ヘッド
３３Ｌ、３３Ｒ（３３Ｒは図示なし）  吐出口
１００  複数液吐出容器
【図１】
0006681174.tif 000002
【図２】
0006681174.tif 000003
【図３】
0006681174.tif 000004
【図４】
0006681174.tif 000005
【図５】
0006681174.tif 000006
【図６】
0006681174.tif 000007
【図７】
0006681174.tif 000008
【図８】
0006681174.tif 000009